(57)【要約】  本開示における包装用箱は、被包装物を包装するための包装用箱であって、上面に第１の開口部を有する筒状の箱本体と、第１の開口部を覆うように第１の開口部に着脱可能に取り付けられる蓋体と、を備える。箱本体は、第１の開口部の周縁部の少なくとも一部に設けられ、箱本体の内面に重なるように折り返された第１の折り返し部を有する。蓋体は、蓋体の周縁部の少なくとも一部に設けられ、第１の開口部に取り付けられる際には第１の折り返し部と箱本体の内面との間に差し込まれる差し込み部を有する。
2016042708.tif 000002
【特許請求の範囲】
【請求項１】
被包装物を包装するための包装用箱であって、
上面に第１の開口部を有する筒状の箱本体と、
前記第１の開口部を覆うように前記第１の開口部に着脱可能に取り付けられる蓋体と、を備え、
前記箱本体は、前記第１の開口部の周縁部の少なくとも一部に設けられ、前記箱本体の内面に重なるように折り返された第１の折り返し部を有し、
前記蓋体は、前記蓋体の周縁部の少なくとも一部に設けられ、前記第１の開口部に取り付けられる際には前記第１の折り返し部と前記箱本体の前記内面との間に差し込まれる差し込み部を有する、
包装用箱。
【請求項２】
前記第１の折り返し部は、前記第１の開口部の前記周縁部の全周に亘って設けられている、
請求項１に記載の包装用箱。
【請求項３】
前記箱本体は、さらに、前記箱本体の下面に設けられた第２の開口部を有し、
前記蓋体は、前記第２の開口部に向けて押し込まれることにより、前記差し込み部が前記第１の折り返し部と前記箱本体の前記内面との間から引き抜かれ、前記被包装物を前記第２の開口部に向けて押し出すように構成される、
請求項１に記載の包装用箱。
【請求項４】
前記箱本体は、さらに、
前記第２の開口部の周縁部の全周に亘って設けられ、前記箱本体の前記内面に重なるように折り返された第２の折り返し部と、
前記第２の折り返し部の先端部から延びるように設けられ、前記第２の開口部を開閉可能に覆う底蓋部と、を有する、
請求項３に記載の包装用箱。
【請求項５】
前記底蓋部は、前記第２の折り返し部の先端部から延びる第１の外側フラップ及び第２の外側フラップを備えるとともに、前記第１の外側フラップと前記第２の折り返し部との間にスリットを有し、
前記第２の外側フラップは前記スリットに差し込まれる突片を有する、
請求項４に記載の包装用箱。
【請求項６】
前記第２の外側フラップは、さらに、前記突片から延伸するタブを備え、
前記タブは、前記突片との境界で折り曲げられ、
前記タブの前記突片と重なる部分は、前記スリットに差し込まれる、
請求項５に記載の包装用箱。
【請求項７】
前記箱本体及び前記蓋体はそれぞれ透明樹脂製である、
請求項１に記載の包装用箱。
【請求項８】
前記箱本体は樹脂製であり、前記蓋体は紙製である、
請求項１に記載の包装用箱。
【請求項９】
請求項１に記載の包装用箱に包装された被包装物。
【発明の詳細な説明】
【技術分野】
【０００１】
本開示は、被包装物を包装するための包装用箱に関する。
【背景技術】
【０００２】
特許文献１は、被包装物を包装するためのパッケージ（包装用箱）を開示する。この包装用箱の形状は直方体状であり、その上面側における開口部の周縁部の３辺にはそれぞれ上蓋本体（外側フラップ）及び左右上蓋耳部（一対の内側フラップ）が設けられている。これらの外側フラップ及び一対の内側フラップは、上記開口部を開閉可能に覆う蓋として機能する。一対の内側フラップの各々は、上記開口部を覆うように内側に略垂直に折り曲げられる。外側フラップは、一対の内側フラップの各々に外側から重なるように略垂直に折り曲げられる。さらに、外側フラップの挿入部（先端部）は、略垂直に折り曲げられた状態で、一対の内側フラップの各々と上記開口部の周縁部との隙間に差し込まれる。
【先行技術文献】
【特許文献】
【０００３】
【特許文献１】特開２００７−２０９５９８号公報
【発明の概要】
【０００４】
特許文献１が開示するパッケージの蓋（上蓋本体及び左右上蓋耳部）はパッケージ本体から着脱することはできない。本開示は、蓋体を箱本体に容易に着脱することができる包装用箱を提供する。
【０００５】
本開示における包装用箱は、被包装物を包装するための包装用箱であって、上面に第１の開口部を有する筒状の箱本体と、第１の開口部を覆うように第１の開口部に着脱可能に取り付けられる蓋体と、を備える。箱本体は、第１の開口部の周縁部の少なくとも一部に設けられ、箱本体の内面に重なるように折り返された第１の折り返し部を有する。蓋体は、蓋体の周縁部の少なくとも一部に設けられ、第１の開口部に取り付けられる際には第１の折り返し部と箱本体の内面との間に差し込まれる差し込み部を有する。
【０００６】
本開示における包装用箱によれば、蓋体を箱本体に容易に着脱することができる。
【図面の簡単な説明】
【０００７】
【図１】実施の形態１に係る包装用箱の外観を示す斜視図である。
【図２】実施の形態１に係る包装用箱を分解した状態を示す斜視図である。
【図３】実施の形態１に係る包装用箱を示す図である。
【図４】図３の（ａ）中の４−４線による包装用箱の断面図である。
【図５】実施の形態１に係る箱本体を展開した状態を示す展開図である。
【図６】実施の形態１に係る蓋体を展開した状態を示す展開図である。
【図７Ａ】蓋体を箱本体の第１の開口部に取り付ける手順を説明するための断面図である。
【図７Ｂ】蓋体を箱本体の第１の開口部に取り付ける手順を説明するための断面図である。
【図８Ａ】被包装物を包装用箱の外部に取り出す手順を説明するための断面図である。
【図８Ｂ】被包装物を包装用箱の外部に取り出す手順を説明するための断面図である。
【図９】実施の形態２に係る包装用箱の外観を示す斜視図である。
【図１０】実施の形態２に係る包装用箱を示す図である。
【図１１】図１０の（ａ）中の１１−１１線による包装用箱の断面図である。
【図１２】実施の形態２に係る箱本体を展開した状態を示す展開図である。
【図１３】実施の形態２に係る蓋体を展開した状態を示す展開図である。
【図１４】実施の形態３に係る包装用箱の外観を示す斜視図である。
【図１５】実施の形態３に係る包装用箱を示す図である。
【図１６】図１５の（ａ）中の１６−１６線による包装用箱の断面図である。
【図１７】実施の形態３に係る箱本体を展開した状態を示す展開図である。
【図１８】実施の形態３に係る蓋体を展開した状態を示す展開図である。
【図１９】実施の形態４に係る包装用箱の外観を示す斜視図である。
【図２０】実施の形態４に係る包装用箱を示す図である。
【図２１】図２０の（ａ）中の２１−２１線による包装用箱の断面図である。
【図２２】実施の形態４に係る箱本体を展開した状態を示す展開図である。
【図２３】実施の形態４に係る蓋体を展開した状態を示す展開図である。
【図２４】実施の形態５に係る包装用箱を示す図である。
【図２５】実施の形態５に係る箱本体を展開した状態を示す展開図である。
【図２６】実施の形態５に係る底蓋部の開閉動作を説明する図である。
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、発明者らは、当業者が本開示を十分に理解するために添付図面及び以下の説明を提供するのであって、これらによって請求の範囲に記載の主題を限定することを意図するものではない。
【００１０】
（実施の形態１）
以下、図１〜図８Ｂを参照しながら、実施の形態１について説明する。
【００１１】
［１−１．包装用箱の構成］
［１−１−１．包装用箱の全体構成］
まず、図１〜図４を参照しながら、包装用箱２の全体構成について説明する。図１は、実施の形態１に係る包装用箱２の外観を示す斜視図である。図２は、実施の形態１に係る包装用箱２を分解した状態を示す斜視図である。図３は、実施の形態１に係る包装用箱２を示す図である。図３の（ａ）は、包装用箱２の正面図であり、図３の（ｂ）は、包装用箱２の背面図であり、図３の（ｃ）は、包装用箱２の平面図であり、図３の（ｄ）は、包装用箱２の底面図であり、図３の（ｅ）は、包装用箱２の右側面図であり、図３の（ｆ）は、包装用箱２の左側面図である。図４は、図３の（ａ）中の４−４線による包装用箱２の断面図である。
【００１２】
図１〜図４に示すように、包装用箱２は、被包装物４（後述する図８Ａ参照）を包装するための箱であり、箱本体６及び蓋体８を備えている。包装用箱２は、例えばポリエチレンテレフタレート（ＰＥＴ；ＰｏｌｙＥｔｈｙｌｅｎｅ  Ｔｅｒｅｐｈｔｈａｌａｔｅ）又は塩化ビニル等の透明樹脂製であり、被包装物４が外部から透けて見えるクリアケースである。なお、本願明細書において、「透明」とは、ユーザが包装用箱２の外部から被包装物４を目視可能な程度の透明度であればよく、必ずしも完全な透明である必要はない。
【００１３】
被包装物４は、例えば、店頭に陳列される商品と、当該商品を収納するための直方体状の紙製のパッケージとを組み合わせたものである。被包装物４に含まれる商品は、例えば、イヤホンやヘッドホン等のオーディオアクセサリ商品、電動歯ブラシ等の理美容商品、電池等の小型の商品、化粧品や日用雑貨等の日用品、あるいは菓子等の食品等の種々の商品である。商品を収納するためのパッケージは、収納される商品の宣伝広告のための機能、商品を保護するための緩衝材としての機能を有する。
【００１４】
［１−１−２．箱本体の構成］
次に、図１〜図５を用いて、箱本体６の構成について説明する。図５は、実施の形態１に係る箱本体６を展開した状態を示す展開図である。
【００１５】
図１〜図４に示すように、箱本体６の形状は、例えば正方形状の筒状であり、上面（図４において上側の面）から下面（図４において下側の面）にかけて寸胴状に延びている。箱本体６の上面には、正方形状の第１の開口部１０が設けられている。図２及び図４に示すように、第１の開口部１０の周縁部１０ａには、箱本体６の側面１２の内面１２ａに重なるように折り返された第１の折り返し部１４が設けられている。第１の折り返し部１４は、第１の開口部１０の周縁部１０ａの全周に亘って設けられている。
【００１６】
一方、図３の（ｄ）及び図４に示すように、箱本体６の下面には、正方形状の第２の開口部１６が設けられている。第２の開口部１６の周縁部１６ａには、箱本体６の側面１２の内面１２ａに重なるように折り返された第２の折り返し部１８が設けられている。第２の折り返し部１８は、第２の開口部１６の周縁部１６ａの全周に亘って設けられている。
【００１７】
さらに、箱本体６の下面には、第２の開口部１６を開閉可能に覆う底蓋部２０が設けられている。底蓋部２０は、第２の折り返し部１８の先端部１８ａから延びるように設けられている。
【００１８】
箱本体６は、図５に示す１枚のシート２２を折り曲げ線（図５中に示す破線）に沿って折り曲げることにより組み立てられる。シート２２は、例えば厚みが０．３ｍｍの透明樹脂製のシートであり、シート２２の原反（図示せず）をプレス機等で裁断することにより得られる。シート２２は、領域として、第１の折り返し片２４、４つの側面部２６，２８，３０，３２、接続片３４、４つの第２の折り返し片３６，３８，４０，４２、外側フラップ４４、内側フラップ４６、外側フラップ４８及び内側フラップ５０を有している。
【００１９】
４つの側面部２６〜３２の各々は、箱本体６の側面１２を構成するための領域であり、シート２２を折り曲げることにより箱本体６を組み立てる際に、正方形状の筒状に折り曲げられる。４つの側面部２６〜３２はそれぞれ、箱本体６の背面（図３の（ｂ）参照）、箱本体６の左側面（図３の（ｆ）参照）、箱本体６の正面（図３の（ａ）参照）及び箱本体６の右側面（図３の（ｅ）参照）に対応している。接続片３４は、側面部３２の一方の側辺に接続されている。この接続片３４は、シート２２を折り曲げることにより箱本体６を組み立てる際に、略垂直に折り曲げられた状態で、側面部３２に隣接する側面部２６の内面に接着剤等で接着される。
【００２０】
第１の折り返し片２４は、箱本体６の第１の折り返し部１４を構成するための領域であり、４つの側面部２６〜３２の各々の上辺を跨るように接続されている。この第１の折り返し片２４は、シート２２を折り曲げることにより箱本体６を組み立てる際に、箱本体６の側面１２の内面１２ａと重なるように約１８０°折り返される。
【００２１】
４つの第２の折り返し片３６〜４２はそれぞれ、箱本体６の第２の折り返し部１８を構成するための領域であり、４つの側面部２６〜３２の各々の下辺に接続されている。この４つの第２の折り返し片３６〜４２はそれぞれ、シート２２を折り曲げることにより箱本体６を組み立てる際に、箱本体６の側面１２の内面１２ａと重なるように約１８０°折り返される。なお、４つの第２の折り返し片３６〜は、４つに分けることなく、第１の折り返し片２４と同様に一つの第２の折り返し片として、折り曲げ線により４つの部分に区切り、４つの側面部２６〜３２の各々の下辺を跨るように形成されてもよい。
【００２２】
外側フラップ４４、内側フラップ４６、外側フラップ４８及び内側フラップ５０の各々は、箱本体６の底蓋部２０を構成するための領域である。外側フラップ４４、内側フラップ４６、外側フラップ４８及び内側フラップ５０はそれぞれ、第２の折り返し片３６〜４２の各々の下辺に接続されている。外側フラップ４４の下辺には、半円形状の切り欠き部５２が形成されている。外側フラップ４８の両側辺にはそれぞれ、半円形状の切り欠き部５４，５６が形成されている。外側フラップ４４と第２の折り返し片３６との境界部には、スリット５８が形成されている。外側フラップ４８の下辺には、スリット５８に差し込まれる突片６０が形成されている。
【００２３】
シート２２を折り曲げることにより箱本体６を組み立てる際には、外側フラップ４４、内側フラップ４６、外側フラップ４８及び内側フラップ５０の各々は次のようにして折り曲げられる。まず、内側フラップ４６及び５０の各々は、第２の開口部１６を覆うように略垂直に折り曲げられる。外側フラップ４４は、内側フラップ４６、５０を外側から覆うように略垂直に折り曲げられる。さらに、外側フラップ４８は、外側フラップ４４を外側から覆うように略垂直に折り曲げられる。このとき、突片６０がスリット５８に差し込まれる。このようにして底蓋部２０が形成され、箱本体６の第２の開口部１６が底蓋部２０により閉じられる。なお、図４に示すように、底蓋部２０は、第２の開口部１６の周縁部１６ａよりも第１の開口部１０側にやや奥まった位置に配置されている。
【００２４】
なお、箱本体６の第２の開口部１６を開放する際には、まず、例えばユーザが切り欠き部５４，５６にそれぞれ指を引っ掛けた状態で外側フラップ４８を外側に引き出すことにより、突片６０がスリット５８から引き抜かれる。次に、ユーザが切り欠き部５２に指を引っ掛けた状態で外側フラップ４４を外側に引き出した後に、内側フラップ４６，５０の各々を外側に引き出す。このようにして、後述する図８Ｂに示すように、第２の開口部１６が開放される。
【００２５】
［１−１−３．蓋体の構成］
次に、図１〜図４及び図６を用いて、蓋体８の構成について説明する。図６は、実施の形態１に係る蓋体８を展開した状態を示す展開図である。
【００２６】
図１〜図４に示すように、蓋体８は、箱本体６の第１の開口部１０を開閉可能に覆うためのものであり、第１の開口部１０に着脱可能に取り付けられる。蓋体８は、上蓋部６２、吊り下げ部６４及び差し込み部６６を有している。
【００２７】
上蓋部６２の形状は、例えば正方形状の略プレート状である。蓋体８が箱本体６の第１の開口部１０に取り付けられた際に、上蓋部６２は、箱本体６の第１の開口部１０を覆うようにして配置される。このとき、上蓋部６２の周縁部６２ａは、箱本体６の側面１２の内面１２ａに近接（又は接触）するようにして配置される。なお、図１及び図４に示すように、上蓋部６２は、第１の開口部１０の周縁部１０ａよりも第２の開口部１６側にやや奥まった位置に配置されている。
【００２８】
吊り下げ部６４は、上蓋部６２の上面から上方に略垂直に延びている。吊り下げ部６４には、吊り下げ用貫通孔６８が形成されている。例えば、この吊り下げ用貫通孔６８に包装用箱２を吊り下げるためのフック（図示せず）を引っ掛けることにより、包装用箱２をフックで吊り下げた状態で店頭に陳列することができる。
【００２９】
差し込み部６６は、上蓋部６２の周縁部６２ａの全周に亘って設けられており、上蓋部６２の周縁部６２ａから上方に略垂直に延びている。差し込み部６６は、箱本体６の第１の折り返し部１４と箱本体６の側面１２の内面１２ａとの間に差し込まれる。
【００３０】
蓋体８は、図６に示す１枚のシート７０を折り曲げ線（図６中に示す破線）に沿って折り曲げることにより組み立てられる。シート７０は、例えば厚みが０．３ｍｍの透明樹脂製のシートであり、シート７０の原反（図示せず）をプレス機等で裁断することにより得られる。シート７０は、領域として、差し込み片７２，７４，７６、上蓋片７８、吊り下げ片８０，８２、上蓋片８４及び差し込み片８６，８８，９０を有している。
【００３１】
吊り下げ片８０，８２は、蓋体８の吊り下げ部６４を構成するための領域であり、シート７０を折り曲げることにより蓋体８を組み立てる際に、互いに重ね合わされるように折り畳まれる。吊り下げ片８０，８２にはそれぞれ、貫通孔９２，９４が形成されている。これらの貫通孔９２，９４が相互に重ね合わされることにより、吊り下げ用貫通孔６８が形成される。
【００３２】
上蓋片７８，８４は、蓋体８の上蓋部６２を構成するための領域であり、シート７０を折り曲げることにより蓋体８を組み立てる際に、略垂直にそれぞれ折り曲げられる。
【００３３】
差し込み片７２〜７６，８６〜９０はそれぞれ、蓋体８の差し込み部６６を構成するための領域であり、シート７０を折り曲げることにより蓋体８を組み立てる際に、略垂直に折り曲げられる。
【００３４】
［１−２．蓋体の取り付け手順］
次に、図４、図７Ａ及び図７Ｂを参照しながら、蓋体８を箱本体６の第１の開口部１０に取り付ける手順について説明する。図７Ａ及び図７Ｂはそれぞれ、蓋体８を箱本体６の第１の開口部１０に取り付ける手順を説明するための断面図である。
【００３５】
まず、ユーザが蓋体８の吊り下げ部６４を指９６で摘んだ状態で、図７Ａ中の矢印Ｐで示す方向に、蓋体８の上蓋部６２を箱本体６の第１の開口部１０から箱本体６の内部に挿入する。このとき、図７Ｂに示すように、蓋体８の差し込み部６６は、箱本体６の側面１２の内面１２ａに近接（又は接触）するようになる。
【００３６】
その後、図７Ｂ中の矢印Ｑで示す方向に、蓋体８を箱本体６の外部に向けて引き上げる。これにより、図４に示すように、蓋体８の差し込み部６６が第１の折り返し部１４と箱本体６の側面１２の内面１２ａとの間に差し込まれることにより、蓋体８が箱本体６の第１の開口部１０に取り付けられる。
【００３７】
［１−３．被包装物の取り出し手順］
次に、図８Ａ及び図８Ｂを参照しながら、被包装物４を包装用箱２の外部に取り出す手順について説明する。図８Ａ及び図８Ｂはそれぞれ、被包装物４を包装用箱２の外部に取り出す手順を説明するための断面図である。
【００３８】
被包装物４が箱本体６の内部に収納された状態で、上述したように蓋体８を箱本体６の第１の開口部１０に取り付けることにより、被包装物４が包装用箱２により包装される。このとき、図８Ａに示すように、被包装物４は、箱本体６の側面１２、蓋体８及び底蓋部２０により囲まれた空間に配置される。
【００３９】
被包装物４を箱本体６の外部に取り出す際には、まず、図８Ａに示すように、ユーザが外側フラップ４８、外側フラップ４４、内側フラップ４６及び内側フラップ５０の各々をこの順に外側に引き出すことにより、箱本体６の第２の開口部１６を開放する。
【００４０】
次に、ユーザが蓋体８の吊り下げ部６４を指９６で摘んだ状態で、図８Ａ中の矢印Ｒで示す方向に、蓋体８を被包装物４に向けて（すなわち、第２の開口部１６に向けて）押し込む。このとき、図８Ｂに示すように、蓋体８の差し込み部６６は、第１の折り返し部１４と箱本体６の側面１２の内面１２ａとの間から引き抜かれる。これにより、蓋体８が箱本体６の第１の開口部１０から取り外され、箱本体６の第１の開口部１０が開放される。
【００４１】
その後、蓋体８の上蓋部６２の下面が被包装物４の上面に接触した状態で、図８Ｂ中の矢印Ｓで示す方向に、蓋体８を被包装物４に向けてさらに押し込む。これにより、図８Ｂ中の矢印Ｔで示す方向に、被包装物４が箱本体６の第２の開口部１６から包装用箱２の外部に取り出される。
【００４２】
なお、本実施の形態では、被包装物４が箱本体６の内部に収納された状態で、蓋体８を箱本体６の第１の開口部１０に取り付けたが、蓋体８を箱本体６の第１の開口部１０に取り付けた状態で、第２の開口部１６から被包装物４を包装用箱２に収納してもよい。この場合、箱本体６の側面１２、蓋体８及び底蓋部２０により囲まれて形成される空間と略同一の形状の被包装物４を包装用箱２に収納することができる。
【００４３】
［１−４．効果等］
次に、本実施の形態の包装用箱２により得られる効果について説明する。上述したように、本実施の形態において、箱本体６は、第１の開口部１０の周縁部１０ａに設けられ、且つ、箱本体６の側面１２の内面１２ａに重なるように折り返された第１の折り返し部１４を有している。蓋体８は、上蓋部６２の周縁部６２ａに設けられ、且つ、第１の折り返し部１４と箱本体６の側面１２の内面１２ａとの間に差し込まれる差し込み部６６を有している。
【００４４】
これにより、蓋体８を箱本体６の第１の開口部１０から箱本体６の内部に挿入した後に、蓋体８を箱本体６の外部に向けて引き上げるという比較的簡単な操作で、蓋体８を箱本体６の第１の開口部１０に容易に取り付けることができる。また、第１の開口部１０に取り付けられた蓋体８を第２の開口部１６に向けて押し込むという比較的簡単な操作で、蓋体８を箱本体６の第１の開口部１０から容易に取り外すことができる。このようにして、蓋体８を箱本体６に容易に着脱することができる。
【００４５】
さらに、上述した箱本体６の構成に関連して、図５に示すシート２２では、第１の折り返し片２４が４つの側面部２６〜３２の各々の上辺を跨るように接続されている。シート２２がこのような形状であるので、シート２２の原反をプレス機等で裁断する際に、例えば、上蓋部を構成するための外側フラップ及び内側フラップを４つの側面部２６〜３２の各々の上辺に形成する従来の包装用箱と比較して、廃棄される材料を約１９％削減することができる。
【００４６】
また、本実施の形態において、第１の折り返し部１４は、第１の開口部１０の周縁部１０ａの全周に亘って設けられている。これにより、箱本体６の強度を高めることができる。なお、箱本体６を形成するシート２２の厚みを薄く（例えば０．２〜０．３ｍｍ程度）した場合であっても、上述した第１の折り返し部１４を設けることにより、箱本体６の強度を維持することができる。
【００４７】
また、本実施の形態において、箱本体６は、さらに、第２の開口部１６の周縁部１６ａの全周に亘って設けられ、且つ、箱本体６の側面１２の内面１２ａに重なるように折り返された第２の折り返し部１８を有している。これにより、箱本体６の強度を高めることができる。なお、箱本体６を形成するシート２２の厚みを薄く（例えば０．２〜０．３ｍｍ程度）した場合であっても、上述した第２の折り返し部１８を設けることにより、箱本体６の強度を維持することができる。
【００４８】
さらに、箱本体６の下面には、第２の開口部１６の周縁部１６ａによってエッジが形成されるので、このエッジにより包装用箱２を安定して載置することができる。これにより、例えば包装用箱２をショーケース等に載置した状態で、包装用箱２を店頭に陳列することができる。
【００４９】
また、本実施の形態において、被包装物４は、底蓋部２０が第２の開口部１６を開放している状態で、蓋体８が第２の開口部１６に向けて押し込まれることにより、第２の開口部１６から包装用箱２の外部に取り出されるように配置される。これにより、被包装物４を包装用箱２の外部に容易に取り出すことができる。
【００５０】
また、本実施の形態において、箱本体６及び蓋体８はそれぞれ透明樹脂製である。これにより、ユーザが包装用箱２の外部から被包装物４を目視することができる。さらに、箱本体６の第１の開口部１０には、背景技術の欄で説明したような従来の内側フラップ等が設けられていないので、包装用箱２を上から（蓋体８の側から）目視した際に、上述した内側フラップ等が透けて見えることがない。これにより、包装用箱２のデザイン性を高めることができる。
【００５１】
（実施の形態２）
以下、図９〜図１３を用いて、実施の形態２を説明する。
【００５２】
［２−１．包装用箱の構成］
［２−１−１．箱本体の構成］
まず、図９〜図１２を参照しながら、包装用箱２Ａの箱本体６Ａの構成について説明する。図９は、実施の形態２に係る包装用箱２Ａの外観を示す斜視図である。図１０は、実施の形態２に係る包装用箱２Ａを示す図である。図１０の（ａ）は、包装用箱２Ａの正面図であり、図１０の（ｂ）は、包装用箱２Ａの背面図であり、図１０の（ｃ）は、包装用箱２Ａの平面図であり、図１０の（ｄ）は、包装用箱２Ａの底面図であり、図１０の（ｅ）は、包装用箱２Ａの右側面図であり、図１０の（ｆ）は、包装用箱２Ａの左側面図である。図１１は、図１０の（ａ）中の１１−１１線による包装用箱２Ａの断面図である。図１２は、実施の形態２に係る箱本体６Ａを展開した状態を示す展開図である。
【００５３】
本実施の形態と上記実施の形態１とでは、箱本体６Ａの形状が異なっている。すなわち、図９及び図１０に示すように、本実施の形態では、箱本体６Ａの形状は長方形状の筒状である。箱本体６Ａの第１の開口部１０Ａの周縁部１０Ａａには、上記実施の形態１と同様に、箱本体６Ａの側面１２Ａの内面１２Ａａに重なるように折り返された第１の折り返し部１４Ａが設けられている。さらに、箱本体６Ａの第２の開口部１６Ａの周縁部１６Ａａには、箱本体６Ａの側面１２Ａの内面１２Ａａに重なるように折り返された第２の折り返し部１８Ａが設けられている。
【００５４】
箱本体６Ａは、図１２に示す１枚のシート２２Ａを折り曲げ線（図１２中に示す破線）に沿って折り曲げることにより組み立てられる。シート２２Ａは、領域として、第１の折り返し片２４Ａ、４つの側面部２６Ａ，２８Ａ，３０Ａ，３２Ａ、接続片３４、４つの第２の折り返し片３６Ａ，３８Ａ，４０Ａ，４２Ａ、外側フラップ４４Ａ、内側フラップ４６Ａ、外側フラップ４８Ａ及び内側フラップ５０Ａを有している。
【００５５】
上記実施の形態１と同様に、４つの側面部２６Ａ〜３２Ａの各々は、箱本体６Ａの側面１２Ａを構成するための領域である。第１の折り返し片２４Ａは、箱本体６Ａの第１の折り返し部１４Ａを構成するための領域である。４つの第２の折り返し片３６Ａ〜４２Ａの各々は、箱本体６Ａの第２の折り返し部１８Ａを構成するための領域である。外側フラップ４４Ａ、内側フラップ４６Ａ、外側フラップ４８Ａ及び内側フラップ５０Ａの各々は、箱本体６Ａの底蓋部２０Ａを構成するための領域である。
【００５６】
［２−１−２．蓋体の構成］
次に、図９〜図１１及び図１３を用いて、蓋体８Ａの構成について説明する。図１３は、実施の形態２に係る蓋体８Ａを展開した状態を示す展開図である。
【００５７】
蓋体８Ａは、上蓋部６２Ａ、吊り下げ部６４Ａ及び差し込み部６６Ａを有している。本実施の形態と上記実施の形態１とでは、蓋体８Ａの形状が異なっている。すなわち、図９及び図１０に示すように、本実施の形態では、上蓋部６２Ａの形状は長方形状の略プレート状である。
【００５８】
蓋体８Ａは、図１３に示す１枚のシート７０Ａを折り曲げ線（図１３中に示す破線）に沿って折り曲げることにより組み立てられる。シート７０Ａは、領域として、差し込み片７２Ａ，７４Ａ，７６Ａ、上蓋片７８Ａ、吊り下げ片８０Ａ，８２Ａ、上蓋片８４Ａ及び差し込み片８６Ａ，８８Ａ，９０Ａを有している。
【００５９】
吊り下げ片８０Ａ，８２Ａは、蓋体８Ａの吊り下げ部６４Ａを構成するための領域である。上蓋片７８Ａ，８４Ａは、蓋体８Ａの上蓋部６２Ａを構成するための領域である。差し込み片７２Ａ〜７６Ａ，８６Ａ〜９０Ａはそれぞれ、蓋体８Ａの差し込み部６６Ａを構成するための領域である。
【００６０】
なお、吊り下げ片８０Ａ，８２Ａの貫通孔９２，９４により形成される吊り下げ用貫通孔６８、蓋体８Ａの取り付け手順、被包装物の取り出し手順については、実施の形態１と同様であるので、説明を省略する。
【００６１】
［２−２．効果等］
本実施の形態では、上記実施の形態１と同様の効果を得ることができる。
【００６２】
（実施の形態３）
以下、図１４〜図１８を用いて、実施の形態３を説明する。
【００６３】
［３−１．包装用箱の構成］
［３−１−１．箱本体の構成］
まず、図１４〜図１７を参照しながら、包装用箱２Ｂの箱本体６Ｂの構成について説明する。図１４は、実施の形態３に係る包装用箱２Ｂの外観を示す斜視図である。図１５は、実施の形態３に係る包装用箱２Ｂを示す図である。図１５の（ａ）は、包装用箱２Ｂの正面図であり、図１５の（ｂ）は、包装用箱２Ｂの背面図であり、図１５の（ｃ）は、包装用箱２Ｂの平面図であり、図１５の（ｄ）は、包装用箱２Ｂの底面図であり、図１５の（ｅ）は、包装用箱２Ｂの右側面図であり、図１５の（ｆ）は、包装用箱２Ｂの左側面図である。図１６は、図１５の（ａ）中の１６−１６線による包装用箱２Ｂの断面図である。図１７は、実施の形態３に係る箱本体６Ｂを展開した状態を示す展開図である。
【００６４】
本実施の形態と上記実施の形態１とでは、箱本体６Ｂの形状が異なっている。すなわち、図１４及び図１５に示すように、本実施の形態では、箱本体６Ｂの形状は正六角形状の筒状である。箱本体６Ｂの第１の開口部１０Ｂの周縁部１０Ｂａには、上記実施の形態１と同様に、箱本体６Ｂの側面１２Ｂの内面１２Ｂａに重なるように折り返された第１の折り返し部１４Ｂが設けられている。さらに、箱本体６Ｂの第２の開口部１６Ｂの周縁部１６Ｂａには、箱本体６Ｂの側面１２Ｂの内面１２Ｂａに重なるように折り返された第２の折り返し部１８Ｂが設けられている。
【００６５】
箱本体６Ｂは、図１７に示す１枚のシート２２Ｂを折り曲げ線（図１７中に示す破線）に沿って折り曲げることにより組み立てられる。シート２２Ｂは、領域として、第１の折り返し片９８、６つの側面部１００，１０２，１０４，１０６，１０８，１１０、接続片３４、６つの第２の折り返し片１１２，１１４，１１６，１１８，１２０，１２２、外側フラップ１２４、内側フラップ１２６，１２８、外側フラップ１３０及び内側フラップ１３２，１３４を有している。
【００６６】
６つの側面部１００〜１１０の各々は、箱本体６Ｂの側面１２Ｂを構成するための領域であり、シート２２Ｂを折り曲げることにより箱本体６Ｂを組み立てる際に、正六角形状の筒状に折り曲げられる。
【００６７】
第１の折り返し片９８は、箱本体６Ｂの第１の折り返し部１４Ｂを構成するための領域であり、６つの側面部１００〜１１０の各々の上辺を跨るように接続されている。この第１の折り返し片９８は、シート２２Ｂを折り曲げることにより箱本体６Ｂを組み立てる際に、箱本体６Ｂの側面１２Ｂの内面１２Ｂａと重なるように約１８０°折り返される。
【００６８】
６つの第２の折り返し片１１２〜１２２はそれぞれ、箱本体６Ｂの第２の折り返し部１８Ｂを構成するための領域であり、６つの側面部１００〜１１０の各々の下辺に接続されている。この６つの第２の折り返し片１１２〜１２２はそれぞれ、シート２２Ｂを折り曲げることにより箱本体６Ｂを組み立てる際に、箱本体６Ｂの側面１２Ｂの内面１２Ｂａと重なるように約１８０°折り返される。
【００６９】
外側フラップ１２４、内側フラップ１２６，１２８、外側フラップ１３０及び内側フラップ１３２，１３４の各々は、箱本体６Ｂの底蓋部２０Ｂを構成するための領域である。外側フラップ１２４、内側フラップ１２６，１２８、外側フラップ１３０及び内側フラップ１３２，１３４はそれぞれ、第２の折り返し片１１２〜１２２の各々の下辺に接続されている。外側フラップ１２４の両側辺にはそれぞれ、半円形状の切り欠き部１３６，１３８が形成されている。外側フラップ１３０の両側辺にはそれぞれ、半円形状の切り欠き部１４０，１４２が形成されている。外側フラップ１２４と第２の折り返し片１１２との境界部には、スリット１４４が形成されている。外側フラップ１３０の下辺には、スリット１４４に差し込まれる突片１４６が形成されている。
【００７０】
シート２２Ｂを折り曲げることにより箱本体６Ｂを組み立てる際には、外側フラップ１２４、内側フラップ１２６，１２８、外側フラップ１３０及び内側フラップ１３２，１３４の各々は次のようにして折り曲げられる。まず、内側フラップ１２６，１２８，１３２，１３４の各々は、第２の開口部１６Ｂを覆うように略垂直に折り曲げられる。外側フラップ１２４は、内側フラップ１２６，１２８，１３２，１３４の各々を外側から覆うように略垂直に折り曲げられる。さらに、外側フラップ１３０は、外側フラップ１２４を外側から覆うように略垂直に折り曲げられる。このとき、突片１４６がスリット１４４に差し込まれる。
【００７１】
［３−１−２．蓋体の構成］
次に、図１４〜図１６及び図１８を用いて、蓋体８Ｂの構成について説明する。図１８は、実施の形態３に係る蓋体８Ｂを展開した状態を示す展開図である。
【００７２】
蓋体８Ｂは、上蓋部６２Ｂ、吊り下げ部６４Ｂ及び差し込み部６６Ｂを有している。図１４及び図１５に示すように、本実施の形態と上記実施の形態１とでは、蓋体８Ｂの形状が異なっている。すなわち、本実施の形態では、上蓋部６２Ｂの形状は正六角形状の略プレート状である。
【００７３】
蓋体８Ｂは、図１８に示す１枚のシート７０Ｂを折り曲げ線（図１８中に示す破線）に沿って折り曲げることにより組み立てられる。シート７０Ｂは、領域として、差し込み片１４８，１５０，１５２，１５４、上蓋片１５６、吊り下げ片１５８，１６０、上蓋片１６２及び差し込み片１６４，１６６，１６８，１７０を有している。
【００７４】
吊り下げ片１５８，１６０は、蓋体８Ｂの吊り下げ部６４Ｂを構成するための領域である。上蓋片１５６，１６２は、蓋体８Ｂの上蓋部６２Ｂを構成するための領域である。差し込み片１４８〜１５４，１６４〜１７０はそれぞれ、蓋体８Ｂの差し込み部６６Ｂを構成するための領域である。
【００７５】
なお、吊り下げ片１５８，１６０の貫通孔９２，９４により形成される吊り下げ用貫通孔６８、蓋体８Ｂの取り付け手順、被包装物の取り出し手順については、実施の形態１と同様であるので、説明を省略する。
【００７６】
［３−２．効果等］
本実施の形態では、上記実施の形態１と同様の効果を得ることができる。
【００７７】
（実施の形態４）
以下、図１９〜図２３を用いて、実施の形態４を説明する。
【００７８】
［４−１．包装用箱の構成］
［４−１−１．箱本体の構成］
まず、図１９〜図２２を参照しながら、包装用箱２Ｃの箱本体６Ｃの構成について説明する。図１９は、実施の形態４に係る包装用箱２Ｃの外観を示す斜視図である。図２０は、実施の形態４に係る包装用箱２Ｃを示す図である。図２０の（ａ）は、包装用箱２Ｃの正面図であり、図２０の（ｂ）は、包装用箱２Ｃの背面図であり、図２０の（ｃ）は、包装用箱２Ｃの平面図であり、図２０の（ｄ）は、包装用箱２Ｃの底面図であり、図２０の（ｅ）は、包装用箱２Ｃの右側面図であり、図２０の（ｆ）は、包装用箱２Ｃの左側面図である。図２１は、図２０の（ａ）中の２１−２１線による包装用箱２Ｃの断面図である。図２２は、実施の形態４に係る箱本体６Ｃを展開した状態を示す展開図である。
【００７９】
本実施の形態と上記実施の形態１とでは、箱本体６Ｃの形状が異なっている。すなわち、図１９及び図２０に示すように、本実施の形態では、箱本体６Ｃの形状は円形状の筒状である。箱本体６Ｃの第１の開口部１０Ｃの周縁部１０Ｃａには、上記実施の形態１と同様に、箱本体６Ｃの側面１２Ｃの内面１２Ｃａに重なるように折り返された第１の折り返し部１４Ｃが設けられている。さらに、箱本体６Ｃの第２の開口部１６Ｃの周縁部１６Ｃａには、箱本体６Ｃの側面１２Ｃの内面１２Ｃａに重なるように折り返された第２の折り返し部１８Ｃが設けられている。
【００８０】
箱本体６Ｃは、図２２に示す１枚のシート２２Ｃを折り曲げ線（図２２中に示す破線）に沿って折り曲げることにより組み立てられる。シート２２Ｃは、領域として、第１の折り返し片１７２、側面部１７４、接続片３４、第２の折り返し片１７６、内側フラップ１７８及び外側フラップ１８０を有している。
【００８１】
側面部１７４は、箱本体６Ｃの側面１２Ｃを構成するための領域であり、シート２２Ｃを折り曲げることにより箱本体６Ｃを組み立てる際に、円形状の筒状に湾曲される。
【００８２】
第１の折り返し片１７２は、箱本体６Ｃの第１の折り返し部１４Ｃを構成するための領域であり、側面部１７４の上辺に接続されている。この第１の折り返し片１７２は、シート２２Ｃを折り曲げることにより箱本体６Ｃを組み立てる際に、箱本体６Ｃの側面１２Ｃの内面１２Ｃａと重なるように約１８０°折り返される。
【００８３】
第２の折り返し片１７６は、箱本体６Ｃの第２の折り返し部１８Ｃを構成するための領域であり、側面部１７４の下辺に接続されている。この第２の折り返し片１７６は、シート２２Ｃを折り曲げることにより箱本体６Ｃを組み立てる際に、箱本体６Ｃの側面１２Ｃの内面１２Ｃａと重なるように約１８０°折り返される。
【００８４】
内側フラップ１７８及び外側フラップ１８０の各々は、箱本体６Ｃの底蓋部２０Ｃを構成するための領域である。内側フラップ１７８及び外側フラップ１８０の各々は、第２の折り返し片１７６の下辺に接続されている。内側フラップ１７８の両側辺にはそれぞれ、半円形状の切り欠き部１８４，１８６が形成されている。外側フラップ１８０の両側辺にはそれぞれ、半円形状の切り欠き部１８８，１９０が形成されている。内側フラップ１７８と第２の折り返し片１７６との境界部の近傍には、スリット１８２が形成されている。外側フラップ１８０の下辺には、スリット１８２に差し込まれる突片１９２が形成されている。
【００８５】
シート２２Ｃを折り曲げることにより箱本体６Ｃを組み立てる際には、まず、内側フラップ１７８は、第２の開口部１６Ｃを覆うように略垂直に折り曲げられる。その後、外側フラップ１８０は、内側フラップ１７８を外側から覆うように略垂直に折り曲げられる。このとき、突片１９２がスリット１８２に差し込まれる。
【００８６】
［３−１−２．蓋体の構成］
次に、図１９〜図２１及び図２３を用いて、蓋体８Ｃの構成について説明する。図２３は、実施の形態４に係る蓋体８Ｃを展開した状態を示す展開図である。
【００８７】
蓋体８Ｃは、上蓋部６２Ｃ、吊り下げ部６４Ｃ及び差し込み部６６Ｃを有している。本実施の形態と上記実施の形態１とでは、蓋体８Ｃの形状が異なっている。すなわち、図１９及び図２０に示すように、本実施の形態では、上蓋部６２Ｃの形状は円形状の略プレート状である。
【００８８】
蓋体８Ｃは、図２３に示す１枚のシート７０Ｃを折り曲げ線（図２３中に示す破線）に沿って折り曲げることにより組み立てられる。シート７０Ｃは、領域として、差し込み片１９４，１９６，１９８、上蓋片２００、吊り下げ片２０２，２０４、上蓋片２０６及び差し込み片２０８，２１０，２１２を有している。
【００８９】
吊り下げ片２０２，２０４は、蓋体８Ｃの吊り下げ部６４Ｃを構成するための領域である。上蓋片２００，２０６は、蓋体８Ｃの上蓋部６２Ｃを構成するための領域である。差し込み片１９４〜１９８，２０８〜２１２はそれぞれ、蓋体８Ｃの差し込み部６６Ｃを構成するための領域である。
【００９０】
なお、吊り下げ片２０２，２０４の貫通孔９２，９４により形成される吊り下げ用貫通孔６８、蓋体８Ｃの取り付け手順、被包装物の取り出し手順については、実施の形態１と同様であるので、説明を省略する。
【００９１】
［３−２．効果等］
本実施の形態では、上記実施の形態１と同様の効果を得ることができる。
【００９２】
（実施の形態５）
［５−１．包装用箱の構成］
［５−１−１．箱本体の構成］
図２４及び図２５を参照しながら、実施の形態５に係る包装用箱２Ｄの箱本体６Ｄの構成について説明する。図２４は、包装用箱２Ｄを示す図である。図２４の（ａ）は、包装用箱２Ｄの正面図であり、図２０の（ｂ）は、包装用箱２Ｄの背面図であり、図２０の（ｃ）は、包装用箱２Ｄの平面図であり、図２０の（ｄ）は、包装用箱２Ｄの底面図であり、図２０の（ｅ）は、包装用箱２Ｄの右側面図であり、図２０の（ｆ）は、包装用箱２Ｄの左側面図である。図２５は、箱本体６Ｄを展開した状態を示す展開図である。
【００９３】
本実施の形態では、箱本体６Ｄの底蓋部２０Ｄを構成する外側フラップ４８Ｄの形状が、実施の形態１の外側フラップ４８と異なっている。すなわち、外側フラップ４８Ｄは、図２４及び図２５に示すように、下辺部に突片６０から延伸された矩形状のタブ６１を有する。また、外側フラップ４８の両側辺にある半円形状の切り欠き部５４，５６は形成されていない。その他の構成は、実施の形態１で示した箱本体６と同様であるので、詳細な説明は省略する。
【００９４】
［５−１−２．底蓋部の開閉動作］
箱本体６Ｄは、実施の形態１の箱本体６と同様に、図２５に示す１枚のシート２２Ｄを折り曲げ線（図２５中に示す破線）に沿って折り曲げることにより組み立てられる。タブ６１は、図２５に示すように、突片６０を下方に延伸して形成されている。タブ６１は、突片６０との間の折り曲げ線（図２５中に示す破線）で、約１８０°外側に折り曲げられる。そして、外側フラップ４８Ｄを折り曲げて箱本体６Ｄの底蓋部２０Ｄが形成されるとき、突片６０及びタブ６１のうち突片６０と重なる部分は、突片６０とともにスリット５８に差し込まれる。そして、箱本体６の第２の開口部１６が底蓋部２０により閉じられる。
【００９５】
図２６は、底蓋部２０Ｄの開放動作を説明する図である。箱本体６Ｄの第２の開口部１６を開放する際には、まず、底蓋部２０Ｄの閉状態（図２６のＡ）から、ユーザがタブ６１を外側方向に引き起こす（Ｂ：タブ引き起こし）。タブ６１を外側方向に引き起こすことにより、突片６０がスリット５８から引き抜かれる（Ｃ：開状態）。そして、実施の形態１と同様にユーザが外側フラップ４４の切り欠き部５２に指を引っ掛けた状態で外側フラップ４４を外側に引き出し、内側フラップ４６，５０の各々を外側に引き出すことにより、第２の開口部１６が開放される。
【００９６】
［５−２．効果等］
本実施の形態では、上記実施の形態１と同様の効果に加えて、底蓋部の開閉が容易な包装用箱を得ることができる。なお、実施の形態２〜４で示した包装用箱２Ａ〜２Ｃの外側フラップ４８Ａ、１３０、１８０のそれぞれの突片６０、１４６、１９２を延伸させてタブ６１を形成することもできる。また、タブ６１の形状は図２４及び図２５に示すような矩形状に限られず、例えば半円形状や台形状であってもよい。
【００９７】
（他の実施の形態）
以上のように、本出願において開示する技術の例示として、実施の形態１〜５を説明した。しかしながら、本開示における技術は、これに限定されず、適宜、変更、置き換え、付加、省略などを行った実施の形態にも適用可能である。また、上記実施の形態１〜５で説明した各構成要素を組み合わせて、新たな実施の形態とすることも可能である。
【００９８】
そこで、以下、他の実施の形態を例示する。
【００９９】
実施の形態１〜５では、箱本体６（６Ａ〜６Ｄ）及び蓋体８（８Ａ〜８Ｄ）をそれぞれ透明樹脂製としたが、これに限定されない。例えば、箱本体６（６Ａ〜６Ｄ）を透明樹脂製とし、蓋体８（８Ａ〜８Ｄ）を紙製としてもよい。このように、包装用箱２（２Ａ〜２Ｄ）の一部を紙製とすることにより、米国のカリフォルニア州の硬質プラスチック包装容器規制に対応した包装用箱２（２Ａ〜２Ｄ）を実現することができる。なお、上記規制は、被包装物の全周囲が硬質プラスチック製の包装用箱で包装されている商品を米国のカリフォルニア州で販売する場合、包装用箱の材料として再生樹脂を２５％以上使用、又は、包装用箱の材料として使用される樹脂材を１０％以上削減しなければならないというものである。実施の形態１〜５では、蓋体８（８Ａ〜８Ｄ）を紙製とすることにより、被包装物４の全周囲が硬質プラスチックで包装されない構成となるので、上記規制に対応することができる。
【０１００】
あるいは、箱本体６（６Ａ〜６Ｄ）及び蓋体８（８Ａ〜８Ｄ）をともに紙製としてもよい。あるいは、箱本体６（６Ａ〜６Ｄ）及び蓋体８（８Ａ〜８Ｄ）をそれぞれ不透明樹脂製としてもよい。
【０１０１】
実施の形態１〜５では、箱本体６（６Ａ〜６Ｄ）の形状を正方形状、長方形状、正六角形状及び円形状の筒状としたが、これに限定されず、例えば楕円形状の筒状又は台形状の筒状等にしてもよく、任意の形状にすることができる。
【０１０２】
実施の形態１〜５では、箱本体６（６Ａ〜６Ｄ）の形状を寸胴状の筒状としたが、これに限定されず、例えば、第２の開口部１６（１６Ａ〜１６Ｃ）が第１の開口部１０（１０Ａ〜１０Ｃ）よりも大きいラッパ状の筒状としてもよい。この場合、例えば、箱本体６（６Ａ〜６Ｄ）の横断面積が第１の開口部１０（１０Ａ〜１０Ｃ）から第２の開口部１６（１６Ａ〜１６Ｃ）にかけて漸増するような形状にすることができる。
【０１０３】
実施の形態１〜５では、第１の折り返し部１４（１４Ａ〜１４Ｃ）は、第１の開口部１０（１０Ａ〜１０Ｃ）の周縁部１０ａ（１０Ａａ〜１０Ｃａ）の全周に亘って設けられているが、これに限定されず、周縁部１０ａ（１０Ａａ〜１０Ｃａ）の少なくとも一部のみに配置してもよい。例えば、上記実施の形態１において、第１の開口部１０の周縁部１０ａの４辺のうち、対向する２辺のみに第１の折り返し部１４を設けることもできる。
【０１０４】
以上のように、本開示における技術の例示として、実施の形態を説明した。そのために、添付図面及び詳細な説明を提供した。
【０１０５】
したがって、添付図面及び詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１０６】
また、上述の実施の形態は、本開示における技術を例示するためのものであるから、請求の範囲又はその均等の範囲において種々の変更、置き換え、付加、省略などを行うことができる。
【産業上の利用可能性】
【０１０７】
本開示は、被包装物を包装するための包装用箱に適用可能である。具体的には、ヘッドホン等のオーディオアクセサリ商品、電動歯ブラシ等の理美容商品あるいは電池等の小型の商品を包装するためのクリアケースなどに、本開示は適用可能である。
【符号の説明】
【０１０８】
２，２Ａ，２Ｂ，２Ｃ，２Ｄ  包装用箱
４  被包装物
６，６Ａ，６Ｂ，６Ｃ，６Ｄ  箱本体
８，８Ａ，８Ｂ，８Ｃ  蓋体
１０，１０Ａ，１０Ｂ，１０Ｃ  第１の開口部
１０ａ，１０Ａａ，１０Ｂａ，１０Ｃａ，１６ａ，１６Ａａ，１６Ｂａ，１６Ｃａ，６２ａ  周縁部
１２，１２Ａ，１２Ｂ，１２Ｃ  側面
１２ａ，１２Ａａ，１２Ｂａ，１２Ｃａ  内面
１４，１４Ａ，１４Ｂ，１４Ｃ  第１の折り返し部
１６，１６Ａ，１６Ｂ，１６Ｃ  第２の開口部
１８，１８Ａ，１８Ｂ，１８Ｃ  第２の折り返し部
１８ａ  先端部
２０，２０Ａ，２０Ｂ，２０Ｃ，２０Ｄ  底蓋部
２２，２２Ａ，２２Ｂ，２２Ｃ，２２Ｄ，７０，７０Ａ，７０Ｂ，７０Ｃ  シート
２４，２４Ａ，９８，１７２  第１の折り返し片
２６，２６Ａ，２８，２８Ａ，３０，３０Ａ，３２，３２Ａ，１００，１０２，１０４，１０６，１０８，１１０，１７４  側面部
３４  接続片
３６，３６Ａ，３８，３８Ａ，４０，４０Ａ，４２，４２Ａ，１１２，１１４，１１６，１１８，１２０，１２２，１７６  第２の折り返し片
４４，４４Ａ，４８，４８Ａ，４８Ｄ，１２４，１３０，１８０  外側フラップ
４６，４６Ａ，５０，５０Ａ，１２６，１２８，１３２，１３４，１７８  内側フラップ
５２，５４，５６，１３６，１３８，１４０，１４２，１８４，１８６，１８８，１９０  切り欠き部
５８，１４４，１８２  スリット
６０，１４６，１９２  突片
６１  タブ
６２，６２Ａ，６２Ｂ，６２Ｃ  上蓋部
６４，６４Ａ，６４Ｂ，６４Ｃ  吊り下げ部
６６，６６Ａ，６６Ｂ，６６Ｃ  差し込み部
６８  吊り下げ用貫通孔
７２，７２Ａ，７４，７４Ａ，７６，７６Ａ，８６，８６Ａ，８８，８８Ａ，９０，９０Ａ，１４８，１５０，１５２，１５４，１６４，１６６，１６８，１７０，１９４，１９６，１９８，２０８，２１０，２１２  差し込み片
７８，７８Ａ，８４，８４Ａ，１５６，１６２，２００，２０６  上蓋片
８０，８０Ａ，８２，８２Ａ，１５８，１６０，２０２，２０４  吊り下げ片
９２，９４  貫通孔
９６  指
【図１】
2016042708.tif 000003
【図２】
2016042708.tif 000004
【図３】
2016042708.tif 000005
【図４】
2016042708.tif 000006
【図５】
2016042708.tif 000007
【図６】
2016042708.tif 000008
【図７Ａ】
2016042708.tif 000009
【図７Ｂ】
2016042708.tif 000010
【図８Ａ】
2016042708.tif 000011
【図８Ｂ】
2016042708.tif 000012
【図９】
2016042708.tif 000013
【図１０】
2016042708.tif 000014
【図１１】
2016042708.tif 000015
【図１２】
2016042708.tif 000016
【図１３】
2016042708.tif 000017
【図１４】
2016042708.tif 000018
【図１５】
2016042708.tif 000019
【図１６】
2016042708.tif 000020
【図１７】
2016042708.tif 000021
【図１８】
2016042708.tif 000022
【図１９】
2016042708.tif 000023
【図２０】
2016042708.tif 000024
【図２１】
2016042708.tif 000025
【図２２】
2016042708.tif 000026
【図２３】
2016042708.tif 000027
【図２４】
2016042708.tif 000028
【図２５】
2016042708.tif 000029
【図２６】
2016042708.tif 000030
【国際調査報告】
2016042708.tif 000031
2016042708.tif 000032
2016042708.tif 000033
2016042708.tif 000034